(57)【要約】【課題】テレビジョン放送の視聴動作に支障を生じることなくその番組情報を他の端末装置へ通知できるようにする。【解決手段】テレビジョン放送に関する番組情報の通知先となる他のユーザに関する情報をＴＶ番組情報通知先記憶部２４１に予め登録しておく。そして、テレビジョン放送の受信中に、当該受信中のテレビジョン放送に関する番組情報の通知要求が入力された場合に、上記テレビジョン放送の受信及び表示処理を維持しながら、上記テレビジョン放送に関する番組情報を含む電子メールを作成し、この電子メールを上記ＴＶ番組情報通知先記憶部２４１に記憶された他の端末装置のメールアドレスを宛先として送信する。【選択図】      図２
2009076981.tif 000002
【特許請求の範囲】
【請求項１】
無線通信ネットワークを介して情報通信を行う機能と、テレビジョン放送を受信して表示する機能とを備えた携帯端末装置であって、
前記テレビジョン放送に関する番組情報の通知先となる他の端末装置のアドレス情報を少なくとも記憶した通知先情報記憶部と、
前記テレビジョン放送を受信し表示している期間に、当該受信中のテレビジョン放送に関する番組情報の通知要求が入力された場合に、前記テレビジョン放送の受信及び表示処理を維持しながら、それと並行して前記テレビジョン放送に関する番組情報を含む通知データを作成し、かつ前記通知先情報記憶部から通知先となる他の端末装置のアドレス情報を読み出して、この読み出されたアドレス情報をもとに前記作成された通知データを他の端末装置へ送信する通知制御手段と
を具備することを特徴とする携帯端末装置。
【請求項２】
前記連絡先情報記憶部は、通知先となる他の端末装置のアドレス情報に対応付けて、当該他の端末装置に通知すべきテレビジョン放送の属性を表すキーワード情報をさらに記憶し、
前記通知制御手段は、
前記番組情報の通知要求が入力された場合に、受信中のテレビジョン放送の属性を表すキーワード情報が前記通知先情報記憶部に記憶されているか否かを判定する第１の判定手段と、
前記受信中のテレビジョン放送の属性を表すキーワード情報が前記通知先情報記憶部に記憶されていると前記第１の判定手段により判定された場合に、当該キーワード情報と対応付けられたアドレス情報を前記通知先情報記憶部から選択的に読み出し、この読み出されたアドレス情報をもとに前記テレビジョン放送に関する番組情報を含む通知データを前記他の端末装置へ送信する手段と
を備えることを特徴とする請求項１記載の携帯端末装置。
【請求項３】
前記連絡先情報記憶部は、通知先となる他の端末装置のアドレス情報に対応付けて、当該他の端末装置に対する通知条件を表すプレゼンス情報をさらに記憶し、
前記通知制御手段は、
通知先として選択されたアドレス情報に対応するプレゼンス情報を前記通知先情報記憶部から読み出し、この読み出されたプレゼンス情報をもとに番組情報の通知の可否を判定する第２の判定手段と、
前記番組情報の通知が可能と前記第２の判定手段により判定された場合に当該番組情報を含む通知データの送信を行い、前記番組情報の通知が不可能と前記第２の判定手段により判定された場合には当該番組情報を含む通知データの送信を行わないように制御する手段と
を、さらに備えることを特徴とする請求項１又は２記載の携帯端末装置。
【請求項４】
前記連絡先情報記憶部は、前記プレゼンス情報として、通知先となる他の端末装置の動作状態の種類に対応付けて予め設定された通知の可否を表す情報を記憶し、
前記第２の判定手段は、前記通知先情報記憶部から読み出された他の端末装置のアドレス情報をもとに当該他の端末装置との間で通信を行って当該他の端末装置の動作状態を表す情報を取得し、この取得した他の端末装置の動作状態を表す情報と、前記連絡先情報記憶部にプレゼンス情報として記憶された情報とに基づいて、番組情報の通知の可否を判定することを特徴とする請求項３記載の携帯端末装置。
【請求項５】
前記連絡先情報記憶部は、前記プレゼンス情報として、通知先となる他の端末装置を所持するユーザのスケジュールに対応付けて予め設定された通知の可否を表す情報を記憶し、
前記第２の判定手段は、現在時刻と、前記連絡先情報記憶部にプレゼンス情報として記憶された情報とに基づいて、番組情報の通知の可否を判定することを特徴とする請求項３記載の携帯端末装置。
【請求項６】
前記第２の判定手段により前記番組情報の通知が不可能と判定された場合に、前記受信中のテレビジョン放送を記録するテレビジョン放送記録手段を、さらに具備することを特徴とする請求項３記載の携帯端末装置。
【請求項７】
前記通知制御手段は、携帯端末装置の動作状態を表すピクト情報を表示する領域に前記番組情報の通知機能を表す情報を表示し、ユーザの入力操作によりこの通知機能を表す情報が選択された場合に、前記通知データの送信制御を実行することを特徴とする請求項１記載の携帯端末装置。
【発明の詳細な説明】
【技術分野】
【０００１】
この発明は、テレビジョン放送受信機能を備えた携帯端末装置に関する。
【背景技術】
【０００２】
近年、携帯電話機やＰＤＡ（Personal Digital Assistant）等の携帯端末装置には、地上ディジタル放送のワンセグメント放送（以後ワンセグ放送と称する）等のテレビジョン放送受信機能を備えた端末が増えている。この種の携帯端末装置を使用することで、ユーザは放送サービスエリア内であれば何時どこにいてもテレビジョン放送を視聴することが可能となり、大変便利である。
【０００３】
ところで、最近、視聴中のテレビジョン放送の番組情報を他のユーザに知らせ、これにより複数のユーザが同じテレビジョン放送を視聴してその内容を共有できるようにすることが提案されている。例えば、基地局のＩＤと当該基地局に帰属した際に受信可能なテレビジョン放送波の周波数とを関連付けてエリア−チャネル情報を生成して記憶しておき、このエリア−チャネル情報を電子メールにより携帯電話網を介して他の端末へ送信するようにした技術が提案されている（例えば、特許文献１を参照。）。
【特許文献１】特開２００５−１５１０９３号公報
【発明の開示】
【発明が解決しようとする課題】
【０００４】
ところが、従来提案されているこの種の携帯端末装置では、エリア−チャネル情報を他の端末に送信する際に、ユーザは視聴中のテレビジョン放送の表示動作を一旦終了して電子メールを送信するためのメーラを起動し、通常の電子メール作成操作及び送信操作を行う必要がある。このため、ユーザは電子メールの作成及び送信期間中にテレビジョン放送の視聴を中断するか、もしくは視聴画面を縮小せざるを得なくなり、その間に見たい場面を見逃したり、また重要な情報を取得し損なうことがあり、その対策が切望されていた。
【０００５】
この発明は上記事情に着目してなされたもので、その目的とするところは、テレビジョン放送の視聴動作に支障を生じることなくその番組情報を他の端末装置へ通知できるようにした携帯端末装置を提供することにある。
【課題を解決するための手段】
【０００６】
上記目的を達成するためにこの発明の一観点は、無線通信ネットワークを介して情報通信を行う機能と、テレビジョン放送を受信して表示する機能とを備えた携帯端末装置にあって、少なくとも、上記テレビジョン放送に関する番組情報の通知先となる他の端末装置のアドレス情報を通知先情報記憶部に予め記憶しておく。そして、上記テレビジョン放送を受信し表示している期間に、当該受信中のテレビジョン放送に関する番組情報の通知要求が入力された場合に、上記テレビジョン放送の受信及び表示処理を維持しながら、それと並行して上記テレビジョン放送に関する番組情報を含む通知データを作成し、かつ上記通知先情報記憶部から通知先となる他の端末装置のアドレス情報を読み出して、この読み出されたアドレス情報をもとに上記作成された通知データを他の端末装置へ送信するようにしたものである。
【発明の効果】
【０００７】
したがって、テレビジョン放送の視聴中にユーザが当該受信中のテレビジョン放送に関する番組情報の通知要求を入力すると、上記テレビジョン放送の受信及び表示処理が維持されたまま、通知先情報記憶部に記憶された情報をもとに自動的に番組情報の通知データが作成されて他の端末装置へ送信される。このため、ユーザはテレビジョン放送の視聴を中断することなく、その番組情報を他のユーザに知らせることが可能となり、これにより見たい場面を見逃したり重要な情報を取得し損なう心配がなくなる。
【０００８】
すなわち、この発明の一観点によれば、テレビジョン放送の視聴動作に支障を生じることなくその番組情報を他の端末装置へ通知することが可能な携帯端末装置を提供することができる。
【発明を実施するための最良の形態】
【０００９】
以下、図面を参照してこの発明の実施形態を説明する。  
図１は、この発明の一実施形態に係わる携帯端末装置の構成を示すブロック図である。  
図示しない基地局から送信された無線信号は、アンテナ１１で受信されたのちアンテナ共用器（ＤＵＰ）１２を介して受信回路（ＲＸ）１３に入力される。受信回路１３は、上記受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、上記周波数シンセサイザ１４から発生される局部発振信号の周波数は、制御ユニット２３から出力される制御信号ＳＹＣによって指示される。
【００１０】
上記受信ベースバンド信号はＣＤＭＡ信号処理ユニット１６に入力される。ＣＤＭＡ信号処理ユニット１６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）１７に入力される。
【００１１】
コンパンダ１７は、上記ＣＤＭＡ信号処理ユニット１６から出力された受信パケットデータを多重分離部によりメディアごとに分離する。そして、この分離されたメディアごとにそのデータに対しそれぞれ復号処理を行う。例えば、通話モードにおいては、受信パケットデータに含まれている通話音声等のオーディオデータをスピーチコーデックにより復号する。またテレビジョン電話モードのように、受信パケットデータにビデオデータが含まれていれば、このビデオデータをビデオコーデックにより復号する。
【００１２】
上記復号処理により得られたデジタルオーディオ信号はＰＣＭ符号処理ユニット（以後ＰＣＭコーデックと称する）１８に供給される。ＰＣＭコーデック１８は、コンパンダ１７から出力されたデジタルオーディオ信号をＰＣＭ復号してアナログオーディオ信号を出力する。このアナログオーディオ信号は、受話増幅器１９にて増幅されたのちスピーカ２０より出力される。
【００１３】
上記コンパンダ１７により復号されたデジタルビデオ信号は、制御ユニット２３に入力される。制御ユニット２３は、上記コンパンダ１７から出力されたデジタルビデオ信号を、ビデオＲＡＭを介してディスプレイ２８に表示する。なお、制御ユニット２３は、受信されたビデオデータばかりでなく、図示しないカメラにより撮像されたビデオデータについてもビデオＲＡＭを介してディスプレイ２８に表示する。
【００１４】
また、上記受信パケットデータが電子メールやＷｅｂサイトからダウンロードされたデータだった場合には、これらの受信データはＣＤＭＡ信号処理ユニット１６から制御ユニット２３に入力される。制御ユニット２３は、上記入力された受信データを記憶ユニット２４の受信データ記憶エリアに保存すると共に、入力デバイス２７におけるユーザの表示操作に応じてディスプレイ２８に表示させる。
【００１５】
一方、通話モードにおいて、マイクロホン２１に入力された話者の音声信号は、送話増幅器２２により適正レベルまで増幅されたのち、ＰＣＭコーデック１８によりＰＣＭ符号化処理が施されてデジタルオーディオ信号となり、コンパンダ１７に入力される。また、図示しないカメラから出力されるビデオ信号は、制御ユニット２３によりデジタル化されてコンパンダ１７に入力される。なお、制御ユニット２３において作成された電子メールも、制御ユニット２３からコンパンダ１７に入力される。
【００１６】
コンパンダ１７は、ＰＣＭコーデック１８から出力されたデジタルオーディオ信号より入力音声のエネルギ量を検出し、この検出結果に基づいて送信データレートを決定する。そして、上記デジタルオーディオ信号を上記送信データレートに応じたフォーマットの信号に符号化し、これによりオーディオデータを生成する。また、制御ユニット２３から出力されたデジタルビデオ信号を符号化してビデオデータを生成する。さらに、制御ユニット２３から電子メールが出力された場合にも、そのテキストデータ等を符号化する。そして、上記復号化されたオーディオデータ、ビデオデータ及びテキストデータ等を多重分離部で所定の伝送フォーマットに従いパケット化し、この送信パケットデータをＣＤＭＡ信号処理ユニット１６へ出力する。
【００１７】
ＣＤＭＡ信号処理ユニット１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Quadrature Phase Shift Keying）方式等のデジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から基地局へ向けて送信される。
【００１８】
また、この実施形態の携帯端末装置はテレビジョン放送受信機（ＴＶ放送受信機）３０を備えている。このＴＶ放送受信機３０は、例えば地上デジタル放送の１セグメント放送（ワンセグ放送）を、アンテナ３１を介して受信するもので、受信されたワンセグ放送の受信データを制御ユニット２３に入力する。制御ユニット２３は、上記入力されたワンセグ放送の受信データを動画像ストリームとオーディオストリームに分離した後それぞれ復号する。そして、復号された動画像信号をディスプレイ２９に表示する。またそれと共に、復号されたデジタルオーディオ信号をＰＣＭコーデック１８に供給する。上記デジタルオーディオ信号は、ＰＣＭコーデック１８によりアナログオーディオ信号に変換された後、受話増幅器１９を介してスピーカ２０から出力される。  
なお、２５はバッテリを、また２６は電源回路を示す。電源回路２６は、バッテリ２５の出力をもとに所定の動作電源電圧Ｖccを生成して各回路部に供給する。バッテリ２５は図示しない充電回路により充電される。また、入力デバイス２７はダイヤルキーパッドと各種機能キーとから構成される。
【００１９】
ところで、記憶ユニット２４は例えばＥＥＰＲＯＭ又はハードディスクを記憶媒体として使用したもので、電話帳、発着信履歴、電子メール等の受信データを記憶する領域に加え、この発明を実現するために必要な以下のような記憶領域を備えている。図２はその機能構成を示すブロック図である。
【００２０】
すなわち、記憶ユニット２４には、ＴＶ番組情報通知先記憶部２４１と、ＴＶ放送信号記憶部２４２が設けられている。ＴＶ放送信号記憶部２４２は、ＴＶ放送の受信データを記録するために使用される。ＴＶ番組情報通知先記憶部２４１は、受信中のテレビジョン放送の番組情報を通知する対象となる他のユーザに関する情報を記憶するために使用される。
【００２１】
他のユーザに関する情報は、例えば図４に示すように電話番号、メールアドレス、名前、グループ名、キーワード、プレゼンス情報及び優先度を表す情報により構成される。このうちキーワードは、例えば、「ニュース」、「スポーツ」、「歌」、「芸能」等のＴＶ放送番組のジャンルを表す。プレゼンス情報は、通知先となる他の端末装置の動作状態及び当該端末ユーザのスケジュールに対し、通知の可否を表す情報を設定したものである。なお、端末装置の動作状態としては「圏外」、「ローミング中」、「ＴＶ視聴中」及び「通話中」等が設定され、ユーザのスケジュールとしては「会議中」、「視聴中」及び「時間帯（例えば夜間）」等が設定される。図５（ａ），（ｂ）はこのプレゼンス情報の設定結果の一例を示すものである。なお、上記ＴＶ番組情報通知先記憶部２４１は電話帳内に設けることも可能である。
【００２２】
一方、制御ユニット２３は例えばマイクロコンピュータ（ＣＰＵ；Central Processing Unit）を備えたもので、この発明に係わる機能として、図２に示すようにＴＶ放送受信制御部２３１と、ＴＶ番組情報通知先記憶制御部２３２と、通知先選択制御部２３３と、通知制御部２３４と、ＴＶ放送信号録画制御部２３５とを備えている。これらの制御機能はいずれもアプリケーション・プログラムを上記ＣＰＵに実行させることにより実現される。
【００２３】
ＴＶ放送受信制御部２３１は、入力デバイス２７においてユーザがＴＶ視聴操作を行った場合にＴＶ放送受信機３０を起動する。そして、このＴＶ放送受信機３０により受信された放送データに含まれるビデオストリームを復号してディスプレイ２８に表示させると共に、オーディオストリームを復号したのちＰＣＭコーデック１８を介してスピーカ２０から出力させる処理を実行する。
【００２４】
ＴＶ番組情報通知先記憶制御部２３２は、入力デバイス２７によるユーザ操作に応じて、テレビジョン放送の番組情報の通知先となる他のユーザに関する情報を上記記憶ユニット２４のＴＶ番組情報通知先記憶部２４１に記憶させる処理を実行する。記憶させる情報は、例えば図４に示したように他の端末装置の電話番号、メールアドレス、ユーザの名前、グループ名、キーワード、プレゼンス情報及び優先度を表す情報からなる。
【００２５】
通知先選択制御部２３３は、入力デバイス２７において視聴中のＴＶ番組情報の通知要求が入力された場合に、記憶ユニット２４のＴＶ番組情報通知先記憶部２４１に記憶されたキーワードをもとに通知先の候補となるユーザを先ず選択し、次にこの選択された通知先の候補となるユーザについてそのプレゼンス情報をもとに通知条件を満たすか否かを判定する。そして、通知条件を満たすユーザを通知先ユーザとして選択し、そのメールアドレスをＴＶ番組情報通知先記憶部２４１から読み出す処理を実行する。
【００２６】
通知制御部２３４は、入力デバイス２７において視聴中のＴＶ番組情報の通知要求が入力された場合に、上記ＴＶ放送受信制御部２３１によるＴＶ放送の受信・表示処理を維持させながら、視聴中のＴＶ放送の番組情報を含む電子メールを作成する。そして、この作成された電子メールを、上記ＴＶ番組情報通知先記憶部２４１から読み出されたメールアドレスをもとに上記他ユーザが所持する端末装置に向けて送信させる処理を実行する。
【００２７】
ＴＶ放送信号録画制御部２３５は、上記通知先選択制御部２３３により通知先の候補となるユーザの通知条件が満たさないと判定され、かつ当該ユーザに対し優先度が“High”に設定されている場合に、視聴中のＴＶ放送の受信データをＴＶ放送信号記憶部２４２に記憶させる処理を実行する。
【００２８】
次に、以上のように構成された装置の動作を説明する。図３は、制御ユニット２３による制御手順と制御内容を示すフローチャートである。  
待ち受け状態において制御ユニット２３は、電話発信操作や通常のメール送信操作等と共に、ステップＳ３１においてＴＶ放送受信操作を監視している。この状態で、ユーザが入力デバイス２７においてＴＶ放送受信操作を行うと、制御ユニット２３はステップＳ３２によりＴＶ放送受信機３０を起動する。そして、このＴＶ放送受信機３０により受信されたＴＶ放送データをメディアごとに復号し、復号された映像を例えば図６に示すようにディスプレイ２８のＴＶ放送表示領域２８１に表示させると共に、オーディオ信号をスピーカ２０から出力させる。かくして、以後携帯端末装置はＴＶ放送受信・表示動作モードとなり、ユーザはＴＶ放送を視聴可能となる。なお、このＴＶ放送受信・表示動作モードは、入力デバイス２７においてユーザがＴＶ受信終了操作を行うまで保持される。
【００２９】
また、上記ＴＶ放送の受信・表示期間中に制御ユニット２３は、ステップＳ３３により、図６に示すようにディスプレイ２８のピクト情報表示領域２８２に、受信電界強度やバッテリ残量を表すマークに加えて番組通知マークＭ１を表示させる。この番組通知マークＭ１は、受信中のＴＶ放送の番組情報を他のユーザに通知するときのソフトウエアキーの位置を示す情報として機能する。
【００３０】
さて、このＴＶ放送の受信・表示期間中に、ユーザがいま視聴中のＴＶ放送を他のユーザに知らせるべく、入力デバイス２７において上記番組通知マークＭ１に対応するキーを操作したとする。そうすると制御ユニット２３は、この操作をステップＳ３４により検出して、以後番組情報の通知先選択処理及び通知制御処理を以下のように実行する。
【００３１】
すなわち、先ずステップＳ３５において上記受信中のＴＶ放送のジャンルをその番組情報から抽出し、この抽出したジャンルに対応するキーワードが記憶ユニット２４内のＴＶ番組情報通知先記憶２４１に記憶されているか否かをステップＳ３６により判定する。そしてこの判定の結果、受信中のＴＶ放送番組のジャンルに対応するキーワードがＴＶ番組情報通知先記憶２４１に記憶されていなければ、番組情報の通知先は存在しないと判断してステップＳ３２によるＴＶ放送の受信・表示処理に戻る。
【００３２】
これに対し受信中のＴＶ放送番組のジャンルに対応するキーワードがＴＶ番組情報通知先記憶２４１に記憶されていたとする。この場合制御ユニット２３は、ステップＳ３７において、上記受信中のＴＶ放送番組のジャンルに対応するキーワードを事前に登録したユーザを通知先の候補として選択する。例えば、いま受信中のＴＶ放送番組のジャンルが「スポーツ」だったとすると、制御ユニット２３は図４に示すユーザ「ＡＡＡ」を通知先の候補として選択する。
【００３３】
次に制御ユニット２３は、ステップＳ３８において、上記通知先候補として選択したユーザに対応付けて事前に登録されたプレゼンス情報をＴＶ番組情報通知先記憶２４１から読み出し、このプレゼンス情報の内容をもとに上記通知先候補として選択したユーザ及びその端末装置が通知条件を満たしているか否かを判定する。
【００３４】
例えば、ＴＶ番組情報通知先記憶２４１に事前に記憶しておいたユーザ「ＡＡＡ」のスケジュール（図示せず）を参照し、現在時刻においてユーザ「ＡＡＡ」が「会議中」であるか否かを判定する。そして、「会議中」であれば、図５（ａ）に示すプレゼンス情報Ｐ１では「×」に設定されているため「通知条件を満たさない」と判定し、一方「会議中」でなければ「通知条件を満たす」と判定する。また、現在時刻が夜間だったとしても、ユーザ「ＡＡＡ」のプレゼンス情報Ｐ１は図５（ａ）に示すように時間帯（夜間）に対し「○」が設定されているので、「通知条件を満たす」と判定する。ちなみに、ユーザ「ＢＢＢ」の場合には、そのプレゼンス情報Ｐ２は図５（ｂ）に示すように時間帯（夜間）に対し「×」が設定されているので、「通知条件を満たさない」と判定する。
【００３５】
また、それと共に制御ユニット２３はＴＶ番組情報通知先記憶２４１から上記通知候補として選択したユーザの端末装置の電話番号を読み出し、この電話番号をもとに当該端末装置に対し仮発信する。そして、その仮発信に対し移動通信網の交換局から送られる着信側端末装置の動作状態を表す制御信号をもとに、通知先候補の端末装置の動作状態が圏外であるか否か、圏内であれば通話中であるか否か、或いはローミング中であるか否かを判定する。
【００３６】
例えば、通知先候補となるユーザ「ＡＡＡ」の端末装置が「圏外」だったとすれば、そのプレゼンス情報Ｐ１では図５（ａ）に示すように「圏外」に対し「×」が設定されているので、「通知条件を満たさない」と判定する。また、「通話中」であれば「通知条件を満たさない」と判定し、「通話中」でなければ「通知条件を満たす」と判定する。さらに「ローミング中」の場合には、プレゼンス情報Ｐ１では図５（ａ）に示すように「ローミング中」に対し「○」が設定されているので、「通知条件を満たす」と判定する。なお、ユーザ「ＢＢＢ」の場合には、そのプレゼンス情報Ｐ２は図５（ｂ）に示すように「ローミング中」に対し「×」が設定されているので、「通知条件を満たさない」と判定する。
【００３７】
そうして通知先候補のユーザ及びその端末装置に対する通知条件の判定が終了し、この判定の結果通知先候補のユーザのスケジュール及びその端末装置の動作状態がいずれも「通知条件を満たす」と判定されたとする。この場合、制御ユニット２３はステップＳ３９に移行して通知用の電子メールを作成する。このとき電子メールには、上記受信中のＴＶ放送データから取得した番組情報がメール本文に挿入または添付される。そして、ステップＳ４０によりＴＶ番組情報通知先記憶２４１から該当する端末装置のメールアドレスを読み出し、このメールアドレスを宛先アドレスとして上記作成した電子メールを端末装置に向け送信させる。  
なお、このとき通知先のユーザが複数選択された場合には、制御ユニット２３はこれらのユーザの端末装置に対し同一の電子メールを同報送信する。
【００３８】
一方、上記通知先候補のユーザのスケジュール及びその端末装置の動作状態のいずれか一つが「通知条件を満たさない」と判定されたとする。この場合、制御ユニット２３はステップＳ４１に移行し、ここでＴＶ番組情報通知先記憶２４１から優先度の情報を読み出して録画が必要か否かを判定する。この判定の結果、例えばユーザ「ＡＡＡ」のように優先度「High」が設定されていれば、録画が必要と判断してステップＳ４２に移行し、受信中のＴＶ放送データを記憶ユニット２４内のＴＶ放送信号記憶部２４２に記憶させる。これに対し、例えばユーザ「ＢＢＢ」のように優先度「Low」が設定されていれば、録画の必要はないと判断して、そのままステップＳ３２によるＴＶ放送の受信・表示処理に戻る。
【００３９】
以上述べたようにこの実施形態では、テレビジョン放送に関する番組情報の通知先となる他のユーザに関する情報をＴＶ番組情報通知先記憶部２４１に予め登録しておく。そして、テレビジョン放送の受信中に、当該受信中のテレビジョン放送に関する番組情報の通知要求が入力された場合に、上記テレビジョン放送の受信及び表示処理を維持しながら、上記テレビジョン放送に関する番組情報を含む電子メールを作成し、この電子メールを上記ＴＶ番組情報通知先記憶部２４１に記憶された他の端末装置のメールアドレスを宛先として送信するようにしている。
【００４０】
したがって、ＴＶ放送の視聴中にユーザが当該視聴中のＴＶ放送に関する番組情報の通知要求を入力すると、上記ＴＶ放送の受信及び表示処理が維持されたまま、自動的に番組情報を含む電子メールが作成され、この電子メールがＴＶ番組情報通知先記憶部２４１に予め登録しておいたメールアドレスをもとに他の端末装置へ送信される。このため、ユーザはテレビジョン放送の視聴を中断することなく、その番組情報を他のユーザに知らせることが可能となり、これにより見たい場面を見逃したり重要な情報を取得し損なう心配がなくなる。
【００４１】
また、上記ＴＶ放送の受信・表示中に、ディスプレス２８のピクト情報表示領域２８２に、視聴中のＴＶ番組情報の通知要求を入力するソフトウエアキーの位置を表す機能を有する番組通知マークＭ１を表示させるようにしている。このため、この番組通知マークＭ１により表されるキーを操作することで、ユーザはＴＶ放送を視聴しながら簡単な操作で番組情報を通知することが可能となる。
【００４２】
さらにこの実施形態では、視聴中のＴＶ番組情報の通知要求が入力された場合に、ＴＶ番組情報通知先記憶部２４１に記憶されたキーワードをもとに通知先の候補となるユーザを先ず選択し、次にこの選択された通知先の候補となるユーザについてそのプレゼンス情報をもとに通知条件を満たすか否かを判定して、通知条件を満たすユーザの端末装置に対し番組情報を含む電子メールを送信するようにしている。
【００４３】
したがって、例えば視聴中のＴＶ放送のジャンルに応じて通知先のユーザを選択することができ、さらに通知先のユーザごとに予め設定したプレゼンス情報、例えばユーザのスケジュールや端末装置の動作状態に応じて予め設定された通知条件をもとに、通知条件を満たすユーザの端末装置にのみ番組情報を通知することが可能となる。
【００４４】
さらにこの実施形態では、通知先の候補となるユーザの通知条件が満たさないと判定され、かつ当該ユーザに対する優先度が“High”に設定されている場合に、視聴中のＴＶ放送の受信データをＴＶ放送信号記憶部２４２に記憶させるようにしている。このため、優先度の高いユーザであるにもかかわらず、通知条件を満たさないために番組情報を通知できなかった場合には、視聴中のＴＶ放送の受信データが録画される。このため、後に上記番組情報を通知できなかったユーザの端末装置に対し、上記録画されたＴＶ放送の受信データを転送することが可能となる。
【００４５】
なお、この発明は上記実施形態に限定されるものではない。例えば、ＴＶ番組情報通知先記憶部２４１に記憶された通知先ユーザに関する情報に含まれるグループ名Ｇ１，Ｇ２を用いて通知先の候補となるユーザを選択するようにしてもよい。例えば、通知先となる複数のユーザを、学校内のグループ、同好会のグループ、私的なグループ等に分け、ユーザが通知要求の入力時にこれらのグループのうち通知対象となるグループを選択指定する。このようにすると、ユーザが選択指定したグループに属するユーザが通知先の候補として選択され、この選択された通知先候補のユーザについてプレゼンス情報をもとに通知条件をチェックした後、番組情報の通知メールを送信することが可能となる。
【００４６】
また、番組情報を通知するための電子メールを作成する際に、受信中のＴＶ放送から任意のタイミングで静止画像を切り出し、この静止画像を電子メールに写真として添付するようにしてもよい。例えば、番組のタイトルが表示された画像を切り出して保存しておき、この画像を電子メールに写真として添付する。このようにすると、上記電子メールを受信した通知先のユーザは、当該電子メールに添付された画像により番組名を即時認識することが可能となる。
【００４７】
さらに、前記実施形態では番組通知マークＭ１をピクト情報表示領域２８２に表示するようにしたが、ＴＶ放送映像の表示領域の一部にＴＶ放送映像に重畳させて表示させるようにしてもよい。また、番組情報の通知終了後には、上記番組通知マークＭ１を通知完了マークＭ２に変更して表示させるとよい。なお、上記番組通知マークＭ１はＴＶ放送番組のチャネルが切り替えられると再び表示される。ただし、一旦他のチャネルに切り替えられたのち、再び番組情報の通知が完了した切替前のチャネルに戻った場合には、当該チャネルにより放送されている番組が引き続き放送されている限り通知完了マークＭ２が表示される。
【００４８】
さらに、前記実施形態では番組通知マークＭ１が番組の視聴中に表示されるとしているが、受信中のＴＶ放送番組のジャンルに対応するキーワードがＴＶ番組情報通知先記憶２４１に記憶されている場合に、番組通知マークＭ１が表示されるようにしてもよい。このようにすると、番組情報を通知する相手がいない場合に無用な処理を行わないで済む。
【００４９】
その他、携帯端末装置の種類や構成、ＴＶ放送の種類、ＴＶ番組情報通知先記憶２４１に記憶する通知先となるユーザに関する情報の構成とプレゼンス情報の内容、通知先の選択制御手順と制御内容、番組情報の通知制御手順と制御内容等についても、この発明の要旨を逸脱しない範囲で種々変形して実施できる。
【００５０】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５１】
【図１】この発明の一実施形態における携帯端末装置の構成を示すブロック図である。
【図２】図１に示した携帯端末装置の要部である制御ユニット及び記憶ユニットの機能構成を示すブロック図である。
【図３】図２に示した制御ユニットによる制御手順と制御内容を示すフローチャートである。
【図４】図２に示した記憶ユニットに設けられるＴＶ番組情報通知先記憶部に記憶された情報の一例を示す図である。
【図５】ＴＶ番組情報通知先記憶部に記憶されるプレゼンス情報の一例を示す図である。
【図６】図１に示した携帯端末装置のディスプレイに表示されるＴＶ放送画像の一例とのピクト領域に表示される情報の一例を示す図である。
【符号の説明】
【００５２】
１１…アンテナ、１２…アンテナ共用器（ＤＵＰ）、１３…受信回路（ＲＸ）、１４…周波数シンセサイザ（ＳＹＮ）、１５…送信回路（ＴＸ）、１６…ＣＤＭＡ信号処理ユニット、１７…圧縮／伸長処理ユニット（コンパンダ）、１８…ＰＣＭ符号処理ユニット（ＰＣＭコーデック）、１９…受話増幅器、２０…スピーカ、２１…マイクロホン、２２…送話増幅器、２３…制御ユニット、２４…記憶ユニット、２５…バッテリ、２６…電源回路、２７…入力デバイス、２８…ディスプレイ、３０…ＴＶ放送受信機、３１…放送受信用のアンテナ、２３１…ＴＶ放送受信制御部、２３２…ＴＶ番組情報通知先記憶制御部、２３３…通知先選択制御部、２３４…通知制御部、２３５…ＴＶ放送信号録画制御部、２４１…ＴＶ番組情報通知先記憶部、２４２…ＴＶ放送信号記憶部。
【図１】
2009076981.tif 000003
【図２】
2009076981.tif 000004
【図３】
2009076981.tif 000005
【図４】
2009076981.tif 000006
【図５】
2009076981.tif 000007
【図６】
2009076981.tif 000008